(57)【要約】【課題】加硫前に掘削溝29ａ、29ｂをトレッド23に形成したタイヤにおけるセンターずれを効果的に減少させる。【解決手段】上ラグ溝用掘削溝29ｂを、上ラグ溝が形成されるべき正規のラグ溝位置から周方向に所定距離だけずらして形成したので、上モールド33の下降時に、上ラグ溝用骨36は、上ラグ溝用掘削溝29ｂのトレッド端側開口より前記ずれ側と反対側のトレッド23側面に押し付けられ、これにより、生タイヤ29（トレッド23）は下方に押し込まれ、加硫金型47との間のセンターずれが効果的に減少される。【選択図】図１
2008173777.tif 000002
【特許請求の範囲】
【請求項１】
生タイヤのトレッド外表面にラグ溝に近似した形状の掘削溝を複数個形成する工程と、前記生タイヤを上、下モールドを有する加硫金型の下モールド上に、該下モールドの下ラグ溝用骨と下ラグ溝用掘削溝とを合致させながら載置する工程と、上ラグ溝用掘削溝に平行に延びる上モールドの上ラグ溝用骨を上ラグ溝用掘削溝の延在方向に移動させながら上モールドを下降させて下モールドに接近させ、前記加硫金型を閉止する工程と、該加硫金型内に収納された生タイヤを加硫することで空気入りタイヤを製造する工程とを備えた空気入りタイヤの製造方法において、上ラグ溝用掘削溝をラグ溝位置から周方向に所定距離だけずらして形成することで、前記上モールドの下降時に、前記上ラグ溝用骨により生タイヤのトレッドを下方に押込むようにしたことを特徴とする空気入りタイヤの製造方法。
【請求項２】
前記所定距離はラグ溝の周方向ピッチの 7〜12％の範囲内である請求項１記載の空気入りタイヤの製造方法。
【請求項３】
生タイヤのトレッド外表面でラグ溝位置にラグ溝に近似した形状の掘削溝を複数個形成する工程と、前記生タイヤを上、下モールドを有する加硫金型の下モールド上に、該下モールドの下ラグ溝用骨と下ラグ溝用掘削溝とを合致させながら載置する工程と、上ラグ溝用掘削溝に平行に延びる上モールドの上ラグ溝用骨を上ラグ溝用掘削溝の延在方向に移動させながら上モールドを下降させて下モールドに接近させ、前記加硫金型を閉止する工程と、該加硫金型内に収納された生タイヤを加硫することで空気入りタイヤを製造する工程とを備えた空気入りタイヤの製造方法において、上ラグ溝用掘削溝の少なくとも一部における溝幅を下ラグ溝用掘削溝の溝幅より狭くすることで、前記上モールドの下降時に、前記上ラグ溝用骨により生タイヤのトレッドを下方に押し込むようにしたことを特徴とする空気入りタイヤの製造方法。
【請求項４】
前記上ラグ溝用掘削溝の一部において溝幅が狭いとき、該溝幅が狭い部位を長手方向中央よりトレッド端側に配置した請求項３記載の空気入りタイヤの製造方法。
【請求項５】
生タイヤのトレッド外表面にラグ溝に近似した形状の掘削溝を複数個形成する工程と、前記生タイヤを上、下モールドを有する加硫金型の下モールド上に、該下モールドの下ラグ溝用骨と下ラグ溝用掘削溝とを合致させながら載置する工程と、上モールドの上ラグ溝用骨を上ラグ溝用掘削溝に接近させながら上モールドを下降させて下モールドに接近させ、前記加硫金型を閉止する工程と、該加硫金型内に収納された生タイヤを加硫することで空気入りタイヤを製造する工程とを備えた空気入りタイヤの製造方法において、前記上ラグ溝用掘削溝をその延在方向が上ラグ溝の延在方向に対し傾斜した状態で形成することにより、前記上モールドの下降時に、前記上ラグ溝用骨により生タイヤのトレッドを下方に押し込むようにしたことを特徴とする空気入りタイヤの製造方法。
【請求項６】
前記上ラグ溝用掘削溝の延在方向と上ラグ溝の延在方向との交差角を 5〜10度の範囲内とした請求項５記載の空気入りタイヤの製造方法。
【請求項７】
前記空気入りタイヤは大型建設車両用空気入りタイヤである請求項１〜６のいずれかに記載の空気入りタイヤの製造方法。
【請求項８】
前記生タイヤの一部を構成するベルト層は、内部にタイヤ赤道に対して 6度以下の傾斜角で交差する非伸張性補強コードが埋設された少なくとも２枚のベルトプライからなる請求項１〜７のいずれかに記載の空気入りタイヤの製造方法。
【請求項９】
前記生タイヤは、一側および他側のビード部がそれぞれ着座され、着脱可能に連結された一側、他側支持体と、これら一側、他側支持体に幅方向両端が気密状態で係止され、内圧が充填されたとき、生タイヤを略トロイダル状に変形させるブラダとからなるシェーピングユニットに装着された状態で、下モールド上に載置される請求項１〜８のいずれかに記載の空気入りタイヤの製造方法。
【発明の詳細な説明】
【技術分野】
【０００１】
この発明は、トレッド外表面にラグ溝が形成された空気入りタイヤを製造する製造方法に関する。
【背景技術】
【０００２】
従来の空気入りタイヤの製造方法としては、例えば以下の特許文献１に記載されているようなものが知られている。
【特許文献１】特開２００１−１０５５１１号公報
【０００３】
このものは、生タイヤのトレッド外表面にラグ溝に近似した形状の掘削溝をタイヤ赤道の両側にそれぞれ複数個形成する工程と、前記生タイヤを上、下モールドを有する加硫金型の下モールド上に、該下モールドの下ラグ溝用骨と下ラグ溝用掘削溝とを合致させながら横置きで載置する工程と、上ラグ溝用掘削溝に平行に延びる上モールドの上ラグ溝用骨を、上ラグ溝用掘削溝の中心線上において移動させながら上モールドを下降させて下モールドに接近させ、前記加硫金型を閉止する工程と、該加硫金型内に収納された生タイヤを加硫することで空気入りタイヤを製造する工程を備えたものである。
【発明の開示】
【発明が解決しようとする課題】
【０００４】
しかしながら、このような従来の空気入りタイヤの製造方法にあっては、予めトレッドに掘削溝を形成した生タイヤを、下モールド上に該下モールドの下ラグ溝用骨と下ラグ溝用掘削溝とを合致させながら横置きで載置するようにしているが、単に載置するだけでは下ラグ溝用骨が下ラグ溝用掘削溝内に充分に挿入されず途中で引っ掛かり、加硫金型と生タイヤとの間に軸方向のセンターずれが生じる、即ち、生タイヤのタイヤ赤道が加硫金型の軸方向中央から多少上方に浮き上がった状態となることがあった。
【０００５】
そして、このような状態のままで生タイヤの加硫を行うと、加硫済み空気入りタイヤにセンターずれが残留し、トレッドゲージの分布が不均一となってしまうという課題があった。特に、ベルト層に埋設された非伸張性補強コードのタイヤ赤道に対する傾斜角が小さい場合、および／または、生タイヤがシェーピングユニットに装着されている場合には、加硫金型内での生タイヤの拡張率を非常に小さく（ 4％以下と）せざるを得ないため、前述の課題がより顕著となっていた。
【０００６】
この発明は、加硫前に掘削溝をトレッドに形成したタイヤにおけるセンターずれを効果的に減少させることができる空気入りタイヤの製造方法を提供することを目的とする。
【課題を解決するための手段】
【０００７】
このような目的は、第１に、生タイヤのトレッド外表面にラグ溝に近似した形状の掘削溝を複数個形成する工程と、前記生タイヤを上、下モールドを有する加硫金型の下モールド上に、該下モールドの下ラグ溝用骨と下ラグ溝用掘削溝とを合致させながら載置する工程と、上ラグ溝用掘削溝に平行に延びる上モールドの上ラグ溝用骨を上ラグ溝用掘削溝の延在方向に移動させながら上モールドを下降させて下モールドに接近させ、前記加硫金型を閉止する工程と、該加硫金型内に収納された生タイヤを加硫することで空気入りタイヤを製造する工程とを備えた空気入りタイヤの製造方法において、上ラグ溝用掘削溝をラグ溝位置から周方向に所定距離だけずらして形成することで、前記上モールドの下降時に、前記上ラグ溝用骨により生タイヤのトレッドを下方に押込むようにした空気入りタイヤの製造方法により、達成することができる。
【０００８】
第２に、生タイヤのトレッド外表面でラグ溝位置にラグ溝に近似した形状の掘削溝を複数個形成する工程と、前記生タイヤを上、下モールドを有する加硫金型の下モールド上に、該下モールドの下ラグ溝用骨と下ラグ溝用掘削溝とを合致させながら載置する工程と、上ラグ溝用掘削溝に平行に延びる上モールドの上ラグ溝用骨を上ラグ溝用掘削溝の延在方向に移動させながら上モールドを下降させて下モールドに接近させ、前記加硫金型を閉止する工程と、該加硫金型内に収納された生タイヤを加硫することで空気入りタイヤを製造する工程とを備えた空気入りタイヤの製造方法において、上ラグ溝用掘削溝の少なくとも一部における溝幅を下ラグ溝用掘削溝の溝幅より狭くすることで、前記上モールドの下降時に、前記上ラグ溝用骨により生タイヤのトレッドを下方に押し込むようにした空気入りタイヤの製造方法により、達成することができる。
【０００９】
第３に、生タイヤのトレッド外表面にラグ溝に近似した形状の掘削溝を複数個形成する工程と、前記生タイヤを上、下モールドを有する加硫金型の下モールド上に、該下モールドの下ラグ溝用骨と下ラグ溝用掘削溝とを合致させながら載置する工程と、上モールドの上ラグ溝用骨を上ラグ溝用掘削溝に接近させながら上モールドを下降させて下モールドに接近させ、前記加硫金型を閉止する工程と、該加硫金型内に収納された生タイヤを加硫することで空気入りタイヤを製造する工程とを備えた空気入りタイヤの製造方法において、前記上ラグ溝用掘削溝をその延在方向が上ラグ溝の延在方向に対し傾斜した状態で形成することにより、前記上モールドの下降時に、前記上ラグ溝用骨により生タイヤのトレッドを下方に押し込むようにした空気入りタイヤの製造方法により、達成することができる。
【発明の効果】
【００１０】
請求項１に係る発明においては、上ラグ溝用掘削溝を、上ラグ溝が形成されるべき正規のラグ溝位置から周方向に所定距離だけずらして形成したので、上モールドの下降時に、前記上ラグ溝用骨は、上ラグ溝用掘削溝のトレッド端側開口より前記ずれ側と反対側のトレッド側面に押し付けられ、これにより、生タイヤ（トレッド）は下方に押し込まれ、加硫金型との間のセンターずれが効果的に減少される。
【００１１】
また、請求項３に係る発明においては、上ラグ溝用掘削溝の少なくとも一部における溝幅を下ラグ溝用掘削溝の溝幅より狭くしたので、前記上モールドの下降時に、前記上ラグ溝用骨は、前記溝幅を狭くした部位で上ラグ溝用掘削溝の両側のトレッドに押し付けられ、これにより、生タイヤ（トレッド）は下方に押し込まれ、加硫金型との間のセンターずれが効果的に減少される。
【００１２】
さらに、請求項５に係る発明においては、上ラグ溝用掘削溝をその延在方向が上ラグ溝の延在方向に対し傾斜した状態で形成したので、上モールドの下降時に、前記上ラグ溝用骨は、上ラグ溝用掘削溝のトレッド端側開口より前記傾斜側と反対側のトレッド側面に押し付けられ、これにより、生タイヤ（トレッド）は下方に押し込まれ、加硫金型との間のセンターずれが効果的に減少される。
【００１３】
また、請求項２に記載のように構成すれば、トレッドゲージの均一性を維持しつつ、センターずれを充分に減少させることができる。さらに、請求項４に記載のように構成すれば、上ラグ溝用骨がトレッド側面に当接した直後から移動終了まで生タイヤに下方に向かう押込み力を付与することができ、センターずれを大幅に減少させることができる。
【００１４】
さらに、請求項６に記載のように構成すれば、トレッドゲージの均一性を維持しつつ、センターずれを充分に減少させることができる。ここで、大型建設車両用空気入りタイヤはラグ溝の溝幅、溝深さが共に広く深いため、請求項７に記載のように、好適である。さらに、請求項８、９に記載のような場合には、加硫金型内での生タイヤの拡張率を非常に小さくせざるを得ないため、生タイヤと加硫金型との間のセンターずれが大きくなることが多いが、このような大きなセンターずれでも効果的に減少させることができる。
【発明を実施するための最良の形態】
【００１５】
以下、この発明の実施形態１を図面に基づいて説明する。
図１、２において、11はタイヤ加硫装置であり、このタイヤ加硫装置11は大型建設車両あるいはトラック・バスに用いられる大型の空気入りタイヤ12を加硫して製造する。ここで、前記空気入りタイヤ12は一対のビード部13と、各ビード部13からそれぞれ略半径方向外側に向かって延びるサイドウォール部14と、これらサイドウォール部14の半径方向外端同士を連結するトレッド部15とから構成されている。
【００１６】
また、前記空気入りタイヤ12は、前記ビード部13間をトロイダル状に延びてサイドウォール部14、トレッド部15を補強するカーカス層17を有し、このカーカス層17内には子午線方向（ラジアル方向）に延びる非伸張性の補強コード18が多数本埋設されている。また、前記カーカス層17の半径方向外側には少なくとも２枚、ここでは２枚のベルトプライ19からなるベルト層20が配置され、これらベルトプライ19内にはタイヤ赤道Ｓに対して所定角度だけ傾斜した非伸張性の補強コード21が多数本埋設されている。そして、これらの補強コード21は少なくとも隣接する２枚のベルトプライ19において逆方向に傾斜し、互いに交差している。
【００１７】
23は前記カーカス層17、ベルト層20の半径方向外側に配置されたゴムからなるトレッドであり、このトレッド23の幅方向一端部および幅方向他端部でその外表面（踏面）には略タイヤ幅方向に延び幅広で深溝である複数のラグ溝24ａ、24ｂがそれぞれ形成されている。この結果、これらのラグ溝24ａ、24ｂは、トレッド23の外表面（踏面）、および、トレッド端でトレッド23の幅方向外側面に開口するとともに、タイヤ赤道Ｓ側内端がタイヤ赤道Ｓからトレッド端側に所定距離離れた途中の位置で終了している。
【００１８】
そして、これらのラグ溝24ａ、24ｂは同一幅で周方向に等距離離れて配置されるとともに、ラグ溝24ａとラグ溝24ｂとは周方向に半ピッチだけずれている。また、前記トレッド23の幅方向中央部外表面には前記ラグ溝24ａ、24ｂのタイヤ赤道Ｓ側内端部同士を連結するとともに、タイヤ赤道Ｓに対して傾斜した複数の細溝25が形成されている。
【００１９】
一方、前記タイヤ加硫装置11は下プラテンを含む略リング状の下モールド28を有し、この下モールド28上には生タイヤ29が横置きで載置される。そして、この下モールド28の半径方向中央部上面には、主に生タイヤ29の一側（下側）サイドウォール部14を型付けする型付け面28ａが形成されている。また、前記下モールド28はその半径方向外端部に上方に向かって延びるリング部30を有し、このリング部30の半径方向内側面には、主に前記生タイヤ29のトレッド部15の幅方向一端部（下端部）を型付けする型付け面30ａが形成されている。
【００２０】
また、リング部30の半径方向内側面には略上下方向（横置きの生タイヤ29では略幅方向）に延びる複数の下ラグ溝用骨31が形成され、これら下ラグ溝用骨31は型付け面30ａから半径方向内側に向かって突出するとともに、周方向に等距離離れて配置されている。そして、これらの下ラグ溝用骨31は加硫時に生タイヤ29のトレッド23の幅方向一端部に押し込まれ、空気入りタイヤ12に前述した下ラグ溝24ａを形成する。
【００２１】
33は下モールド28の直上に設置され上プラテンを含む略リング状の上モールドであり、この上モールド33は該上モールド33に連結された連結ロッド32を含む昇降手段から移動力が付与されることで昇降し、前記下モールド28に離隔、接近する。そして、この上モールド33の半径方向中央部下面には、主に生タイヤ29の他側（上側）サイドウォール部14を型付けする型付け面33ａが形成されている。また、前記上モールド33はその半径方向外端部に下方に向かって延びるリング部34を有し、このリング部34の半径方向内側面には、主に前記生タイヤ29のトレッド部15の幅方向他端部（上端部）を型付けする型付け面34ａが形成されている。
【００２２】
また、リング部34の半径方向内側面には略上下方向に延び、前記下ラグ溝用骨31と同一幅である複数の上ラグ溝用骨36が形成され、これら上ラグ溝用骨36は型付け面34ａから半径方向内側に向かって突出するとともに、周方向に等距離離れて配置されている。そして、これらの上ラグ溝用骨36は加硫時に生タイヤ29のトレッド23の幅方向他端部に押し込まれ、空気入りタイヤ12に前述した上ラグ溝24ｂを形成する。
【００２３】
ここで、前述のようにラグ溝24ａ、24ｂは幅広で深溝であるため、下、上ラグ溝用骨31、36が生タイヤ29のトレッド23に押し込まれたとき、カーカス層17、ベルト層20に波打ち等を生じさせるおそれがあるが、このような事態を効果的に抑制するため、加硫に先立ってラグ溝24ａ、24ｂに近似した形状のラグ溝用掘削溝29ａ、29ｂをそれぞれトレッド23の幅方向一、他端部に複数個（ここではラグ溝24ａ、24ｂと同数個だけ）形成している。
【００２４】
この結果、これらのラグ溝用掘削溝29ａ、29ｂも、ラグ溝24ａ、24ｂと同様に生タイヤ29のトレッド23の外表面（踏面）、および、トレッド端でトレッド23の幅方向外側面の双方において開口する。なお、このようなラグ溝用掘削溝29ａ、29ｂは、例えば、給電されることで加熱された略Ｕ字形の電熱カッターを旋回させてトレッド23に喰い込ませた後、該電熱カッターをほぼタイヤ幅方向にトレッド端まで移動させてゴムを切除することで形成することができる。
【００２５】
40は下モールド28のリング部30上に載置された複数の弧状を呈するスライダであり、これらのスライダ40は周方向に並べて配置され、各スライダ40の上面には下方に向かうに従い半径方向外側に向かうよう傾斜したガイド溝41が形成されている。一方、前記上モールド33のリング部34の下面には環状のガイド体42が一体形成され、このガイド体42は前記ガイド溝41と同一の傾斜角度で下方に向かうに従い半径方向外側に向かうよう傾斜するとともに、その肉厚はガイド溝41の幅と実質上同一である。
【００２６】
また、各スライダ40の半径方向内側面にはセクターモールド45が固定され、これらセクターモールド45の半径方向内側面にはブレード46が設けられている。そして、各スライダ40のガイド溝41にガイド体42が挿入されているとき、上モールド33が昇降すると、スライダ40、セクターモールド45は下モールド28上を同期して半径方向に移動するが、これらスライダ40、セクターモールド45が半径方向内側限まで移動したとき、前記下、上モールド28、33およびセクターモールド45からなる加硫金型47は閉止して、内部に生タイヤ29を収納するキャビティを形成するとともに、前記ブレード46は生タイヤ29のトレッド23の幅方向中央部に押し込まれて空気入りタイヤ12のトレッド部15に細溝25を形成する。
【００２７】
なお、この実施形態においては、加硫金型47を下、上モールド28、33、セクターモールド45から構成したが、この発明においては、加硫金型を上下に２分割された下、上モールドのみから構成してもよく、少なくとも上、下モールドを有していればよい。そして、この場合には、タイヤ赤道Ｓより幅方向一側（下側）のトレッドは下モールドにより、タイヤ赤道Ｓより幅方向他側（上側）のトレッドは上モールドにより型付けが行われる。
【００２８】
50はシェーピングユニットであり、このシェーピングユニット50は生タイヤ29の幅方向一側（下側）に位置するビード部13が着座される一側支持体51を有し、この一側支持体51は加硫時、前記幅方向一側のビード部13を主に型付けすることができる。52は生タイヤ29の幅方向他側（上側）に位置するビード部13が着座される上側支持体であり、この他側支持体52は加硫時、前記幅方向他側のビード部13を主に型付けすることができる。そして、これら一側、他側支持体51、52は図示していない連結機構により着脱可能に連結される。53は前記一側、他側支持体51、52に幅方向両端、即ち、幅方向一端、他端がそれぞれ気密状態で係止された屈曲可能なブラダである。
【００２９】
そして、前記一側、他側支持体51、52に生タイヤ29の一側、他側ビード部13がそれぞれ着座された後、これら一側、他側支持体51、52同士が前記連結機構により連結され、その後、ブラダ53内に内圧が充填されると、該生タイヤ29は略トロイダル状に変形しながら、これら一側、他側支持体51、52、ブラダ53からなるシェーピングユニット50に支持される。次に、このようにしてシェーピングユニット50に装着された生タイヤ29は、図示していない搬送手段により開放状態の加硫金型47に搬入された後、下ラグ溝用骨31と下ラグ溝用掘削溝29ａとを合致させながら下モールド28上に載置される。
【００３０】
56はスライダ40の半径方向外側面に固定された複数のガイド受けであり、各ガイド受け56には上ラグ溝用骨36（上ラグ溝24ｂ）の延在方向に平行に延びる、即ち、加硫金型47の軸線に平行な直線（上下方向）に対して上ラグ溝用骨36と同一方向に同一角度で傾斜しているガイド溝57が形成され、このガイド溝57は上方が開口している。一方、前記ガイド受け56に対向する位置で上モールド33の半径方向外側面には前記ガイド溝57と略同一形状のガイド体58がそれぞれ固定され、これらのガイド体58は、前記上モールド33が下降、上昇して下モールド28に接近、離隔すると、ガイド受け56にガイドされながらガイド溝57内を該ガイド溝57に沿って移動する。
【００３１】
この際、ガイド溝57は前述のように上下方向に対して傾斜しているので、上モールド33には下降時にガイド溝57から加硫金型47の軸線回りの回転力が与えられ、この結果、上ラグ溝用骨36は、前述した下降、上昇と回転との合成により、上ラグ溝24ｂの延在方向に移動することになる。ここで、下、上ラグ溝用骨31、36（下、上ラグ溝24ａ、24ｂ）および下、上ラグ溝用掘削溝29ａ、29ｂの延在方向とは、下、上ラグ溝用骨31、36（下、上ラグ溝24ａ、24ｂ）および下、上ラグ溝用掘削溝29ａ、29ｂの幅が一定である部位、または、幅が緩やかに変化する部位の長手方向両端における幅方向中央同士を結ぶ直線（中心線Ｍ）の方向のことである。
【００３２】
次に、前述のような空気入りタイヤ12を製造する場合には、まず、一側、他側支持体51、52に生タイヤ29の一側、他側ビード部13を着座させた後、これら一側、他側支持体51、52同士を連結機構により連結し、その後、ブラダ53内に内圧を充填する。この結果、該生タイヤ29は略トロイダル状に変形しながらシェーピングユニット50に装着される。
【００３３】
次に、略Ｕ字形をした電熱カッターを旋回させて生タイヤ29のトレッド23に喰い込ませた後、該カッターをほぼタイヤ幅方向にトレッド端まで移動させてゴムを切除し、生タイヤ29のトレッド23外表面でその幅方向一、他端部にそれぞれラグ溝24ａ、24ｂに近似した形状の下、上ラグ溝用掘削溝29ａ、29ｂを複数個形成する。ここで、前記下、上ラグ溝用掘削溝29ａ、29ｂはラグ溝24ａ、24ｂと完全に同一の形状であってもよいが、溝幅、溝深さ、折れ曲がり具合等が若干異なっていてもよい。
【００３４】
次に、このようなシェーピングユニット50、生タイヤ29を、搬送手段により開放状態の加硫金型47に搬入して、下ラグ溝用骨31と下ラグ溝用掘削溝29ａとを合致させながら、具体的には、下ラグ溝用掘削溝29ａに下ラグ溝用骨31を挿入しながら下モールド28上に載置する。ここで、前述した下、上ラグ溝用掘削溝29ａ、29ｂの形成は、生タイヤ29をシェーピングユニット50に装着する前に行ってもよく、生タイヤ29の成形後で下モールド28上への載置前であれば、いつ行ってもよい。
【００３５】
次に、昇降手段により上モールド33を下降させて下モールド28に接近させるが、この下降の途中でガイド体58はガイド受け56のガイド溝57に挿入され、該ガイド溝57に沿って移動する。ここで、前記ガイド溝57は上下方向に対して傾斜しているので、上モールド33には下降時にガイド受け56から回転力が与えられ、この結果、上ラグ溝用骨36は、前述した下降と回転との合成により、上ラグ溝用掘削溝29ｂ（ラグ溝24ｂ）の延在方向に（中心線Ｍに沿って）移動しながら、上ラグ溝用掘削溝29ｂ内に挿入される。
【００３６】
また、前述の下降の途中でスライダ40のガイド溝41にガイド体42が挿入されるが、その後も、上モールド33が下降を継続するため、スライダ40、セクターモールド45は下モールド28上を同期して半径方向内側に移動する。そして、これらスライダ40、セクターモールド45が半径方向内側限まで移動すると、前記加硫金型47は閉止して該加硫金型47内のキャビティに生タイヤ29が収納されるとともに、前記ブレード46はトレッド23の幅方向中央部に押し込まれて細溝25を形成する。次に、下、上モールド28、33の下、上プラテン内およびブラダ53内に高温、高圧の加硫媒体を供給し、加硫金型47に収納された生タイヤ29を加硫して空気入りタイヤ12を製造する。
【００３７】
このようにして加硫が終了すると、昇降手段により上モールド33を上昇させるが、このとき、上モールド33はガイド受け56、ガイド体58によって前述と逆方向に回転される。この回転と前記上昇との合成により上ラグ溝用骨36はラグ溝24ｂの延在方向に移動しながら空気入りタイヤ12から離脱し、ラグ溝24ｂに何らの悪影響も与えない。このとき、各スライダ40はガイド体42により同期して半径方向外側限まで移動する。そして、加硫金型47が開放されると、加硫済みの空気入りタイヤ12およびシェーピングユニット50が下モールド28から取り出され、搬送手段により次工程に搬出される。
【００３８】
しかしながら、前述のような製造方法では、予めトレッド23に下、上ラグ溝用掘削溝29ａ、29ｂを形成した生タイヤ29を、下ラグ溝用骨31と下ラグ溝用掘削溝29ａとを合致させながら下モールド28上に横置きで載置するようにしているので、下ラグ溝用骨31が下ラグ溝用掘削溝29ａ内に充分に挿入されず途中で引っ掛かり、加硫金型47を閉止した後であっても、加硫金型47と生タイヤ29との間に軸方向のセンターずれが生じる、即ち、生タイヤ29のタイヤ赤道Ｓが加硫金型47の軸方向中央から多少上方に浮き上がった状態となることがあった。
【００３９】
そして、このような状態のままで生タイヤ29の加硫を行うと、加硫済みの空気入りタイヤ12にセンターずれが残留し、トレッドゲージの分布が不均一となってしまうのである。特に、生タイヤ29の一部を構成するベルト層20の内部に埋設された非伸張性補強コード21のタイヤ赤道Ｓに対する傾斜角が小さい、例えば 6度以下のような場合、および／または、生タイヤ29が前述のようなシェーピングユニット50に装着された状態で下モールド28上に載置される場合には、生タイヤ29の外径がキャビティの内径と同等程度となるため、加硫時における加硫金型47内での生タイヤ29の拡張率を非常に小さく（ 4％以下と）せざるを得ず、この結果、前述のようなセンターずれがより大きくなって顕著となるのである。
【００４０】
このため、この実施形態においては、図３に示すように、前記上ラグ溝用掘削溝29ｂに上ラグ溝用骨36が平行に延びている（上ラグ溝用掘削溝29ｂの延在方向、即ち中心線Ｍが、上ラグ溝24ｂの延在方向、即ち中心線Ｍに一致している）場合に、上ラグ溝用掘削溝29ｂを上ラグ溝24ｂが形成されるべき正規のラグ溝位置（図３に仮想線で示す位置Ｂ）から周方向、ここでは周方向一側に所定距離Ｌだけずらして形成したのである。この結果、前述した上モールド33の下降時に、前記上ラグ溝用骨36は、上ラグ溝用掘削溝29ｂのトレッド端側開口より前記ずれ側と反対側のトレッド23側面に押し付けられ、これにより、生タイヤ29（トレッド23）は下方に押し込まれ、加硫金型47との間のセンターずれが効果的に減少される。一方、下ラグ溝用掘削溝29ａは正規の幅で正規の下ラグ溝24ａの位置に重ね合わせて形成されている。
【００４１】
そして、前述したセンターずれは、前述のようにベルト層20内の補強コード21がタイヤ赤道Ｓに対して 6度以下である場合、および／または、生タイヤ29がシェーピングユニット50に装着された状態で加硫金型47に搬入されたような場合に、大きくなることが多いが、このような大きなセンターずれに対しても有効に機能し、効果的に減少させることができる。また、前述した上ラグ溝用掘削溝29ｂの周方向へのずらしは、大型建設車両用空気入りタイヤではラグ溝24ａ、24ｂの溝幅、溝深さが共に広く深いため、大きなセンターずれが生じ易いことから、特に好適である。
【００４２】
そして、前記上ラグ溝用骨36は上モールド33の下降により直前のトレッド23を構成するゴムを押し除けながら上ラグ溝用掘削溝29ｂ内に徐々に侵入する。その後、前述のように加硫が行われるが、このとき、周囲のゴムは流動して上ラグ溝用骨36の片側に存在する空隙を埋め、図４に示すように、トレッド23の正規位置に上ラグ溝用骨36と補完関係にある正規形状の上ラグ溝24ｂを成形する。このとき、同様に下ラグ溝用骨31によって正規位置、正規形状の下ラグ溝24ａがトレッド23に成形される。なお、前述の上ラグ溝用掘削溝29ｂは正規の上ラグ溝24ｂの位置Ｂから周方向他側に所定距離だけずらすようにしてもよい。
【００４３】
ここで、前述の所定距離Ｌは、上ラグ溝24ｂの周方向ピッチＰの 7〜12％の範囲内とすることが好ましい。その理由は、前記所定距離Ｌが周方向ピッチＰの 7％未満であると、上ラグ溝用骨36による生タイヤ29の押付け力が弱くてセンターずれを充分に減少させることができず、一方、周方向ピッチの12％を超えると、ゴムの流動が追いつかず、空気入りタイヤ12の周方向におけるトレッドゲージが不均一となるおそれがあるが、前述の範囲内であると、トレッドゲージの均一性を維持しつつ、センターずれを充分に減少させることができるからである。
【００４４】
図５はこの発明の実施形態２を示す図である。この実施形態においては、前記上ラグ溝用掘削溝29ｂが上ラグ溝用骨36に平行に延在しているとともに、上ラグ溝用掘削溝29ｂを正規の上ラグ溝24ｂの位置に重ね合わせて形成した場合に、上ラグ溝用掘削溝29ｂの溝幅Ｈを長手方向全域において下ラグ溝用掘削溝29ａの溝幅Ｊより狭くしている。一方、下ラグ溝用掘削溝29ａは正規の幅で正規の下ラグ溝24ａの位置に重ね合わせて形成されている。
【００４５】
この結果、前記上モールド33の下降時に、前記上ラグ溝用骨36は、前記溝幅を狭くした部位、ここでは上ラグ溝用掘削溝29ｂのトレッド端側開口の両側に位置するトレッド23の側面に押し付けられ、これにより、生タイヤ29（トレッド23）は下方に押し込まれて加硫金型47との間のセンターずれが効果的に減少される。その後、上ラグ溝用骨36は直前のゴムを押し除けながら上ラグ溝用掘削溝29ｂ内に徐々に侵入する。
【００４６】
ここで、上ラグ溝用掘削溝29ｂの溝幅Ｈは、上ラグ溝用掘削溝29ｂの少なくとも一部において下ラグ溝用掘削溝29ａの溝幅Ｊより狭くすればよいが、この場合、溝幅Ｈが狭い部位を長手方向中央よりトレッド端側に配置することが好ましい。その理由は、上ラグ溝用骨36がトレッド23の側面に当接した直後から移動終了まで生タイヤ29に下方に向かう押込み力を付与することができ、センターずれを大幅に減少させることができるからである。
【００４７】
なお、上ラグ溝用掘削溝29ｂの溝幅Ｈはその長手方向の途中からタイヤ赤道Ｓ側内端近くまでの間を狭くしてもよく、この場合にもセンターずれを効果的に減少させることができる。また、上ラグ溝用掘削溝29ｂの溝幅Ｈと下ラグ溝用掘削溝29ａの溝幅Ｊとの差は、周方向ピッチＰの 7〜12％の範囲が、前述と同様の理由から好ましい。なお、他の構成、作用は前記実施形態１と同様である。
【００４８】
図６は、この発明の実施形態３を示す図である。この実施形態においては、上ラグ溝用掘削溝29ｂをその延在方向（中心線Ｍ）が正規の上ラグ溝24ｂの延在方向（中心線Ｍ）に対し傾斜した状態で、ここでは、上下方向に対する上ラグ溝用掘削溝29ｂの傾斜角を上ラグ溝24ｂの傾斜角より大となるよう傾斜した状態で形成している。ここで、上ラグ溝用掘削溝29ｂの中心線Ｍと上ラグ溝24ｂの中心線Ｍとの交点は、上ラグ溝用掘削溝29ｂ上であればどこでもよいが、この実施形態ではタイヤ赤道Ｓ側内端としている。なお、前述と逆に、上下方向に対する上ラグ溝用掘削溝29ｂの傾斜角が上ラグ溝24ｂの傾斜角より小となるよう傾斜した状態でラグ溝用掘削溝29ｂを形成してもよい。一方、下ラグ溝用掘削溝29ａは正規の幅で正規の下ラグ溝24ａの位置に重ね合わせて形成されている。
【００４９】
この結果、前記上モールド33の下降時に、前記上ラグ溝用骨36は上ラグ溝用掘削溝29ｂの上ラグ溝24ｂに対する傾斜側と反対側のトレッド23側面に押し付けられ、これにより、生タイヤ29（トレッド23）は下方に押し込まれて加硫金型47との間のセンターずれが効果的に減少される。その後、上ラグ溝用骨36は直前のゴムを押し除けながら上ラグ溝用掘削溝29ｂ内に徐々に侵入する。
【００５０】
ここで、前記上ラグ溝用掘削溝29ｂの延在方向（中心線Ｍ）と上ラグ溝24ｂの延在方向（中心線Ｍ）との間の交差角Ｇは 5〜10度の範囲内であることが好ましい。その理由は、前記交差角Ｇが 5度未満であると、上ラグ溝用骨36による生タイヤ29の押付け力が弱くてセンターずれを充分に減少させることができず、一方、交差角Ｇが10度を超えると、空気入りタイヤ12の周方向におけるトレッドゲージが不均一となるおそれがあるが、前述の範囲内であると、トレッドゲージの均一性を維持しつつ、センターずれを充分に減少させることができるからである。なお、他の構成、作用は前記実施形態１と同様である。また、前述の実施形態の少なくともいずれか２つを複合した上ラグ溝用掘削溝を形成してもよい。
【産業上の利用可能性】
【００５１】
この発明は、トレッド外表面にラグ溝が形成された空気入りタイヤの産業分野に適用できる。
【図面の簡単な説明】
【００５２】
【図１】この発明の実施形態１を示す一部破断正面図である。
【図２】空気入りタイヤの一部破断斜視図である。
【図３】ラグ溝用掘削溝へのラグ溝用骨の侵入状態を説明する説明図である。
【図４】図３と同様の説明図である。
【図５】この発明の実施形態２を示す図３と同様の説明図である。
【図６】この発明の実施形態３を示す図３と同様の説明図である。
【符号の説明】
【００５３】
12…空気入りタイヤ         13…ビード部
19…ベルトプライ           20…ベルト層
21…補強コード             23…トレッド
24ａ、ｂ…ラグ溝           28…下モールド
29…生タイヤ               29ａ…下ラグ溝用掘削溝
29ｂ…上ラグ溝用掘削溝     31…下ラグ溝用骨
33…上モールド             36…上ラグ溝用骨
47…加硫金型               50…シェーピングユニット
51…一側支持体             52…他側支持体
53…ブラダ                 Ｌ…所定距離
Ｈ…溝幅                   Ｊ…溝幅
Ｇ…交差角                 Ｐ…ピッチ
【図１】
2008173777.tif 000003
【図２】
2008173777.tif 000004
【図３】
2008173777.tif 000005
【図４】
2008173777.tif 000006
【図５】
2008173777.tif 000007
【図６】
2008173777.tif 000008